(57)【要約】【課題】    本発明の目的は、回転ドラムの開口部に付着した固形分を効率良く分離させることができる固液分離装置及び固液分離方法を提供するものである。【解決手段】    固液分離装置Ｋは、処理する液体を受け入れる処理槽１と、この処理槽１内の液体に一部浸漬された状態で回転可能に配置され、外周壁２１が複数の開口部２２を有する回転ドラム２と、処理槽１に前記処理する液体を供給する供給通路４と、回転ドラム２内の水を処理槽１の外へと導く排水通路５と、回転ドラム２の外周面に付着した固形分を剥離して、処理槽１の外へと排出する固形分排出手段６と、回転ドラム２の内から回転ドラム２の開口部２２に向かって、液体を噴出させて、開口部２２に付着した固形分を分離させる液体噴射手段７とを備えているものである。【選択図】図１
2017140563.tif 000002
【特許請求の範囲】
【請求項１】
処理する液体を受け入れる処理槽と、
この処理槽内の液体に一部浸漬された状態で回転可能に配置され、外周壁が複数の開口部を有する回転ドラムと、
前記処理槽に前記処理する液体を供給する供給通路と、
前記回転ドラム内の水を前記処理槽の外へと導く排水通路と、
前記回転ドラムの外周面に付着した固形分を剥離して、前記処理槽の外へと排出する固形分排出手段と、
前記回転ドラムの内から前記回転ドラムの前記開口部に向かって、液体を噴出させて、前記開口部に付着した固形分を分離させる液体噴射手段とを備えている
ことを特徴とする固液分離装置。
【請求項２】
回転ドラムは、略水平方向に回転軸を有し、
液体噴射手段は、前記回転ドラムの回転軸を貫通して設けられた水平管と、この水平管より分岐し、前記回転ドラムの開口部に向かうように設けられた分岐管とを備え、
前記分岐管の先端より液体を噴射させて、前記回転ドラムの前記開口部に付着した固形分を分離させる
ことを特徴とする請求項１記載の固液分離装置。
【請求項３】
回転ドラムの外周壁の開口部の周縁部表面が酸化チタン薄膜で形成された回転ドラムと、
処理槽の液面より上にある前記回転ドラムの外周壁の開口部の周縁部表面に向かうように照射されるＵＶランプとを備えている
ことを特徴とする請求項１記載の固液分離装置。
【請求項４】
処理する液体を受け入れる処理槽と、
この処理槽内の液体に一部浸漬された状態で回転可能に配置され、外周壁が複数の開口部を有する回転ドラムと、
前記処理槽に前記処理する液体を供給する供給通路と、
前記回転ドラム内の水を前記処理槽の外へと導く排水通路と、
前記回転ドラムの外周面に付着した固形分を剥離して、前記処理槽の外へと排出する固形分排出手段とを備え、
前記回転ドラムの内から前記回転ドラムの前記開口部に向かって、液体を噴出させて、前記開口部に付着した固形分を分離させる
ことを特徴とする固液分離方法。
【請求項５】
回転ドラムの外周壁の開口部の周縁部表面が酸化チタン薄膜で形成され、前記処理槽内の液体に一部浸漬された状態で回転可能に配置され、
前記処理槽の液面より上にある前記回転ドラムの外周壁の開口部の周縁部表面に向かうように照射されるＵＶランプが設けられ、
前記回転ドラムの外周壁の開口部の周縁部表面に付着した固形分を前記ＵＶランプによって照射し、照射後、 前記回転ドラムの内から前記回転ドラムの前記開口部に向かって、液体を噴出させて、前記開口部に付着した固形分を分離させる
ことを特徴とする請求項４記載の固液分離方法。
【請求項６】
処理する油分が含まれた汚水を受け入れる処理槽と、
外周壁が複数の開口部を有し、前記開口部の周縁部表面が酸化チタン薄膜で形成され、前記処理槽内の液体に一部浸漬された状態で回転可能に配置された回転ドラムと、
前記処理槽の液面より上にある前記回転ドラムの前記開口部の周縁部表面に向かうように照射されるＵＶランプと、
前記処理槽に前記処理する液体を供給する供給通路と、
前記回転ドラム内の水を前記処理槽の外へと導く排水通路と、
前記回転ドラムの外周面に付着した固形分を剥離して、前記処理槽の外へと排出する固形分排出手段とを備え、
前記回転ドラムの外周壁表面に付着した固形分を前記ＵＶランプによって照射し、照射後、付着した前記回転ドラムの外周壁表面が前記処理槽内の液中に没して前記回転ドラムの外周壁表面に付着した固形分を前記回転ドラムの外周壁表面から分離させる
ことを特徴とする固液分離方法。
【発明の詳細な説明】
【技術分野】
【０００１】
本発明は、固液分離装置及び固液分離方法に係り、特に、回転ドラムの開口部に付着した固形分を効率良く分離させることができる固液分離装置及び固液分離方法に関する。
【背景技術】
【０００２】
従来、固液分離装置、例えば、回転ドラムの外から前記回転ドラムの開口部に向かって、液体を噴出させて、前記開口部に付着した異物等を分離させるようにしている（特許文献１参照）。
【先行技術文献】
【特許文献】
【０００３】
【特許文献１】特開２００１−２４８０８７号公報
【発明の概要】
【発明が解決しようとする課題】
【０００４】
しかしながら、上記固液分離装置にあっては、回転ドラムの外から前記回転ドラムの開口部に向かって、液体を噴出させているため、前記開口部に付着した異物等が分離できず、液体中から異物を効率良く分離させることができないという問題点が生じた。
【０００５】
本発明は、前記問題点を考慮したなされた液体を含む処理対象物から液体と固体を効率良く分離することができる固液分離装置及び固液分離方法を提供することを目的とする。
【課題を解決するための手段】
【０００６】
請求項１記載の固液分離装置は、処理する液体を受け入れる処理槽と、この処理槽内の液体に一部浸漬された状態で回転可能に配置され、外周壁が複数の開口部を有する回転ドラムと、前記処理槽に前記処理する液体を供給する供給通路と、前記回転ドラム内の水を前記処理槽の外へと導く排水通路と、前記回転ドラムの外周面に付着した固形分を剥離して、前記処理槽の外へと排出する固形分排出手段と、前記回転ドラムの内から前記回転ドラムの前記開口部に向かって、液体を噴出させて、前記開口部に付着した固形分を分離させる液体噴射手段とを備えているものである。
【０００７】
また、請求項２記載の固液分離装置は、請求項１記載の固液分離装置において、 回転ドラムは、略水平方向に回転軸を有し、液体噴射手段は、前記回転ドラムの回転軸を貫通して設けられた水平管と、この水平管より分岐し、前記回転ドラムの開口部に向かうように設けられた分岐管とを備え、前記分岐管の先端より液体を噴射させて、前記回転ドラムの前記開口部に付着した固形分を分離させるものである。
【０００８】
また、請求項３記載の固液分離装置は、請求項１記載の固液分離装置において、回転ドラムの外周壁の開口部の周縁部表面が酸化チタン薄膜で形成された回転ドラムと、処理槽の液面より上にある前記回転ドラムの外周壁の開口部の周縁部表面に向かうように照射されるＵＶランプとを備えているものである。
【０００９】
また、請求項４記載の固液分離方法は、処理する液体を受け入れる処理槽と、この処理槽内の液体に一部浸漬された状態で回転可能に配置され、外周壁が複数の開口部を有する回転ドラムと、前記処理槽に前記処理する液体を供給する供給通路と、前記回転ドラム内の水を前記処理槽の外へと導く排水通路と、前記回転ドラムの外周面に付着した固形分を剥離して、前記処理槽の外へと排出する固形分排出手段とを備え、前記回転ドラムの内から前記回転ドラムの前記開口部に向かって、液体を噴出させて、前記開口部に付着した固形分を分離させるものである。
【００１０】
また、請求項５記載の固液分離方法は、請求項４記載の固液分離方法において、回転ドラムの外周壁の開口部の周縁部表面が酸化チタン薄膜で形成され、前記処理槽内の液体に一部浸漬された状態で回転可能に配置され、前記処理槽の液面より上にある前記回転ドラムの外周壁の開口部の周縁部表面に向かうように照射されるＵＶランプが設けられ、前記回転ドラムの外周壁の開口部の周縁部表面に付着した固形分を前記ＵＶランプによって照射し、照射後、 前記回転ドラムの内から前記回転ドラムの前記開口部に向かって、液体を噴出させて、前記開口部に付着した固形分を分離させるものである。
【００１１】
また、請求項６記載の固液分離方法は、処理する油分が含まれた汚水を受け入れる処理槽と、外周壁が複数の開口部を有し、前記開口部の周縁部表面が酸化チタン薄膜で形成され、前記処理槽内の液体に一部浸漬された状態で回転可能に配置された回転ドラムと、前記処理槽の液面より上にある前記回転ドラムの前記開口部の周縁部表面に向かうように照射されるＵＶランプと、前記処理槽に前記処理する液体を供給する供給通路と、前記回転ドラム内の水を前記処理槽の外へと導く排水通路と、前記回転ドラムの外周面に付着した固形分を剥離して、前記処理槽の外へと排出する固形分排出手段とを備え、前記回転ドラムの外周壁表面に付着した固形分を前記ＵＶランプによって照射し、照射後、付着した前記回転ドラムの外周壁表面が前記処理槽内の液中に没して前記回転ドラムの外周壁表面に付着した固形分を前記回転ドラムの外周壁表面から分離させるものである。
【発明の効果】
【００１２】
請求項１記載の固液分離装置によれば、回転ドラムの内から前記回転ドラムの開口部に向かって、液体を噴出させて、前記開口部に付着した固形分を分離させる液体噴射手段とを備えているため、回転ドラムの外から前記回転ドラムの開口部に向かって、液体を噴出させるようにした従来のものに比べ、開口部に付着した固形分を効率良く分離させることができる。
【００１３】
また、請求項２記載の固液分離装置によれば、上述した請求項１記載の発明の効果に加え、液体噴射手段は、回転ドラムの回転軸を貫通して設けられた水平管と、この水平管より分岐し、前記回転ドラムの開口部に向かうように設けられた分岐管とを備えているため、前記分岐管の先端より液体を噴射させて、前記回転ドラムの前記開口部に付着した固形分を分離させることができる。
【００１４】
また、請求項３記載の固液分離装置によれば、上述した請求項１記載の発明の効果に加え、回転ドラムの外周壁の開口部の周縁部表面が酸化チタン薄膜で形成された回転ドラムと、処理槽の液面より上にある前記回転ドラムの外周壁の開口部の周縁部表面に向かうように照射されるＵＶランプとを備えているため、光触媒効果による酸化力によって開口部に付着した固形分を脱臭、殺菌等して処理することができる。
【００１５】
また、請求項４記載の固液分離方法によれば、回転ドラムの内から前記回転ドラムの開口部に向かって、液体を噴出させて、前記開口部に付着した固形分を分離させるため、回転ドラムの外から前記回転ドラムの開口部に向かって、液体を噴出させるようにした従来のものに比べ、開口部に付着した固形分を効率良く分離させることができる。
【００１６】
また、請求項５記載の固液分離方法によれば、上述した請求項４記載の発明の効果に加え、回転ドラムの外周壁の開口部の周縁部表面が酸化チタン薄膜で形成された回転ドラムと、処理槽の液面より上にある前記回転ドラムの外周壁の開口部の周縁部表面に向かうように照射されるＵＶランプとを備えているため、光触媒効果による酸化力によって開口部に付着した固形分を脱臭、殺菌等して処理することができる。
【００１７】
また、請求項６記載の固液分離方法によれば、回転ドラムの外周壁表面に付着した汚水中の固形分をＵＶランプによって照射するため、固形分中の油分が分離し、照射後、付着した前記回転ドラムの外周壁表面が処理槽内の液中に没して前記回転ドラムの外周壁表面に付着した固形分を前記回転ドラムの外周壁表面から容易に分離させることができる。
【図面の簡単な説明】
【００１８】
【図１】図１は、本発明の一実施例の固液分離装置の概略的断面図である。
【図２】図２は、図１の概略的断面図である。
【図３】図３は、図２の一部の概略的拡大断面図である。
【発明を実施するための形態】
【００１９】
本発明の一実施例の固液分離装置及び固液分離方法を図面（図１乃至図３）を参照して説明する。
図１に示すＫは、液体を含む処理対象物（液体を含む処理対象物は、例えば、白水、汚水等である。）から液体と固形分とを分離する固液分離装置で、
固液分離装置Ｋは，処理する液体を受け入れる処理槽１と、外周壁２１表面が酸化チタン薄膜で形成され、処理槽１内の液体に一部浸漬された状態で回転可能に配置され、外周壁２１が複数の開口部２２を有する回転ドラム２と、処理槽１の液面より上にある回転ドラム２の外周壁２１表面に向かうように照射されるＵＶランプ３と、処理槽１に前記処理する液体を供給する供給通路４と、回転ドラム２内の水を処理槽１の外へと導く排水通路５と、回転ドラム２の外周壁２１表面に付着した固形分１０を剥離して、処理槽１の外へと排出する固形分物排出手段６と、回転ドラム２の内から回転ドラム２の開口部２２に向かって、液体（例えば、水）を噴出させて、開口部２２に付着した固形分１０を分離させる液体噴射手段７とを備えている。
【００２０】
上述した回転ドラム２は、略水平方向に回転軸２３を有し、また、液体噴射手段７は、回転ドラム２の回転軸２３を貫通して設けられた水平管７１と、この水平管７１より分岐し、回転ドラム２の処理槽１の液面より上にある開口部２２に向かうように設けられた分岐管７２とを備えている。分岐管７２の先端は、処理槽１の液面より上にある。図２に示す７３は、ポンプである。
なお、図２に示す分岐管７２の先端は、処理槽１の液面より上にあるが、場合により、分岐管７２の先端は、処理槽１の液面内にあっても良い。
【００２１】
図２に示すように、２４、２４は軸受、２５、２６はスプロケット、２７はチェーン、２８はモータ、２９はロータリージョイントで、モータ２８の回転は、水平管７１はロータリージョイント２９により固定されたまま、スプロケット２６、チェーン２７、スプロケット２５を介して、回転軸２３に伝達され、回転ドラム２が回転するようになっている。
なお、図２に示す１００は第１の筒体、１０１は第１の筒体１００と回転軸２３（図２の回転軸２３、２３の内、左に位置する回転軸２３）とを一体化するための溶接部位であり、１０２は、第１の筒体１００とスプロケット２５とを一体化するためのキー、２０１は第２の筒体２００と回転軸２３（図２の回転軸２３、２３の内、右に位置する回転軸２３）とを一体化するための溶接部位である。
また、固形分物排出手段６は、例えば、回転ドラム２上の固形分１０を移し替える転写ロール６１と、転写ロール６１上の固形分１０を掻き取り除去するドクター６２とを有する。
【００２２】
そして、回転ドラム２の外周壁２１の開口部２２の周縁部表面に付着した固形分１０をＵＶランプ３によって照射し、照射後、付着した回転ドラム２の外周壁２１の開口部２２の周縁部表面が処理槽１内の液中に没して回転ドラム２の外周壁２１の開口部２２の周縁部表面に付着した固形分１０を回転ドラム２の外周壁２１表面から分離させるようにしている。
なお、開口部２２は、例えば、回転ドラム２の側面に酸化チタンがコーティングされたステンレス網を張ることにより、形成することができる。
【００２３】
従って、上述した固液分離装置（固液分離方法）Ｋによれば、回転ドラム２の内から回転ドラム２の開口部２２に向かって、液体を噴出させて、開口部２２に付着した固形分１０を分離させる液体噴射手段７とを備えているため、回転ドラム２の外から回転ドラム２の開口部２２に向かって、液体を噴出させるようにした従来のものに比べ、開口部２２に付着した固形分１０を効率良く分離させることができる。
また、外周壁２１の開口部２２の周縁部表面が酸化チタン薄膜で形成された回転ドラム２とＵＶランプ３とによる光触媒効果による酸化力によって開口部２２に付着した固形分（特に、汚水中の油分）１０、を脱臭、殺菌等して処理することができる。
なお、特に、処理する液体が「油分が含まれた汚水」の場合、汚水中の固形分１０をＵＶランプ３によって照射するため、固形分１０中の油分が分離し、照射後、付着した回転ドラム２の外周壁２１表面が処理槽１内の液中に没して回転ドラム２の外周壁２１表面に付着した固形分１０を回転ドラム２の外周壁２１表面から容易に分離させることができる。
【符号の説明】
【００２４】
Ｋ      固液分離装置
１      処理槽
２      回転ドラム
４      供給通路
５      排水通路
６      固形分排出手段
２１    外周壁
２２    開口部
【図１】
2017140563.tif 000003
【図２】
2017140563.tif 000004
【図３】
2017140563.tif 000005